(57)【要約】【課題】摺動部及び圧縮機構部の潤滑性を高め、長寿命化・高回転化を図ること。【解決手段】本体ケース１内に配され、冷媒の吸入、圧縮、吐出を行う圧縮機構部４と、固定子６と回転子７を対向配置して構成され前記圧縮機構部４を駆動するためのモータ部５と、前記本体ケース１の内周部と前記固定子６の外周部との間隙に配された環状プレート５１を備え、前記圧縮機構部４から圧縮ガス導入路１４を通じて吐出される圧縮ガスを、前記環状プレート５１に衝突させるように構成したもので、圧縮ガスに含まれる潤滑油が分離し、本体ケース１内の貯油部９に貯留される潤滑油量が増加して本体ケース１内の各摺動部及び圧縮機構部４における潤滑性を高めることができる。【選択図】図１
2013064342.tif 000002
【特許請求の範囲】
【請求項１】
本体ケース内に配され、冷媒の吸入、圧縮、吐出を行う圧縮機構部と、固定子と回転子を対向配置して構成され前記圧縮機構部を駆動するためのモータ部と、前記本体ケースの内周部と前記固定子の外周部との間隙に配された環状プレートを備え、前記圧縮機構部から圧縮ガス導入路を通じて吐出される圧縮ガスを、前記環状プレートに衝突させるように構成したスクロール圧縮機。
【請求項２】
圧縮ガスの吐出方向が環状プレートに対して斜めになるように、圧縮ガス導入路の開口部を形成して、本体ケースの内周部と固定子の外周部との間隙で、冷媒が、前記環状プレートに沿って旋回するように構成した請求項１に記載のスクロール圧縮機。
【発明の詳細な説明】
【技術分野】
【０００１】
本発明は、空調及び冷凍装置に適用されるスクロール圧縮機に関するものである。
【背景技術】
【０００２】
従来この種のスクロール圧縮機は、本体ケース内の貯油部に貯留された潤滑油を、ポンプ等によって圧縮機構部に供給し、本体ケース内の各摺動部及び圧縮機構部を潤滑している（例えば、特許文献１参照）。
【先行技術文献】
【特許文献】
【０００３】
【特許文献１】特開２００６−３２９１４１号公報
【発明の概要】
【発明が解決しようとする課題】
【０００４】
しかしながら、前記特許文献１に記載されたような従来のスクロール圧縮機の構成では、スクロール圧縮機の高回転時に、圧縮ガスの流速が上昇して、本体ケース内で分離された潤滑油の多くが巻き上げられ、スクロール圧縮機の吐出口からエアコンサイクル内へ流出しまうため、本体ケース内の貯油部に貯留する潤滑油が減少して、ノズルを通じてポンプに供給される潤滑油に圧縮ガス成分が混入して、本体ケース内の各摺動部及び圧縮機構部における潤滑性が低下するという課題を有していた。
【０００５】
本発明は、前記従来の課題を解決するもので、本体ケース内の貯油部に貯留する潤滑油量を増やし、本体ケース内の各摺動部及び圧縮機構部における潤滑性を高めることによって、長寿命化と高回転時の信頼性を確保したスクロール圧縮機を提供することを目的とする。
【課題を解決するための手段】
【０００６】
前記従来の課題を解決するために、本発明のスクロール圧縮機は、本体ケース内に配され、冷媒の吸入、圧縮、吐出を行う圧縮機構部と、固定子と回転子を対向配置して構成され前記圧縮機構部を駆動するためのモータ部と、前記本体ケースの内周部と前記固定子の外周部との間隙に配された環状プレートを備え、前記圧縮機構部から圧縮ガス導入路を通じて吐出される圧縮ガスを、前記環状プレートに衝突させるように構成したもので、圧縮ガスに含まれる潤滑油が分離し、本体ケース内の貯油部に貯留される潤滑油量が増加して本体ケース内の各摺動部及び圧縮機構部における潤滑性を高めることができる。
【発明の効果】
【０００７】
本発明のスクロール圧縮機は、圧縮機構部に安定した量の潤滑油を供給することができるため、長寿命化と高回転時の信頼性の確保を図ることができる。
【図面の簡単な説明】
【０００８】
【図１】本発明の実施の形態１におけるスクロール圧縮機の縦断面図
【図２】同スクロール圧縮機の要部斜視図
【図３】同スクロール圧縮機の環状プレートの正面図
【図４】同スクロール圧縮機の潤滑油の流れを示す縦断面図
【図５】本発明の実施の形態２におけるスクロール圧縮機の要部断面図
【発明を実施するための形態】
【０００９】
第１の発明は、本体ケース内に配され、冷媒の吸入、圧縮、吐出を行う圧縮機構部と、固定子と回転子を対向配置して構成され前記圧縮機構部を駆動するためのモータ部と、前記本体ケースの内周部と前記固定子の外周部との間隙に配された環状プレートを備え、前記圧縮機構部から圧縮ガス導入路を通じて吐出される圧縮ガスを、前記環状プレートに衝突させるように構成したもので、圧縮ガスに含まれる潤滑油が分離し、本体ケース内の貯油部に貯留される潤滑油量が増加して本体ケース内の各摺動部及び圧縮機構部における潤滑性を高めることができる。
【００１０】
第２の発明は、特に、第１の発明の圧縮ガスの吐出方向が環状プレートに対して斜めになるように、圧縮ガス導入路の開口部を形成して、本体ケースの内周部と固定子の外周部との間隙で、冷媒が、前記環状プレートに沿って旋回するようにしたもので、旋回流による遠心力によって、圧縮ガスに含まれる潤滑油を分離することができる。これによって分離される潤滑油量を増加して、本体ケース内の各摺動部及び圧縮機構部における潤滑性をさらに高めることができる。
【００１１】
以下、本発明の実施の形態について、図面を参照しながら説明する。なお、この実施の形態によって本発明が限定されるものではない。
【００１２】
（実施の形態１）
本発明の第１の実施の形態におけるスクロール圧縮機について図１〜４を用いて説明する。図１は、本実施の形態におけるスクロール圧縮機の断面図を示すものである。
【００１３】
図１において、本体ケース１内に、圧縮機構部４及び、圧縮機構部４を駆動するモータ部５を内蔵し、モータ部５は、密封端子４８に外部から接続された図示しないモータ駆動回路部によって駆動される。
【００１４】
圧縮機構部４の旋回スクロール２２は、モータ部５の駆動軸２４に連結され、モータ部５は、本体ケース１の内周に固定された固定子６と、駆動軸２４に固定された回転子７で構成され、固定子６と回転子７は、間隙を設けて対向配置されている。本体ケース１内には、潤滑油１０を貯留する貯油部９を備え、潤滑油１０は、ノズル２８からポンプ２３によって、駆動軸給油経路２５を通じて圧縮機構部４に供給され、本体ケース１内の各摺動部及び圧縮機構部４を潤滑する構成となっている。
【００１５】
図２は、本実施の形態におけるスクロール圧縮機の要部斜視図を示すものである。
【００１６】
図２において、本体ケース１の内周部と、モータ部５の固定子６の外周部との間隙に環状プレート５１を配置し、固定ボルト１５によって、固定子６と合わせて本体ケース１に固定されている。
【００１７】
図３に示すように環状プレート５１は、本体ケース１の内周部とモータ部５の固定子６の外周部との間隙を塞ぐように形成された１枚のプレートで、固定ボルト１５を通す複数のネジ穴５２と、分離した潤滑油を貯油部９に導く潤滑油導入部５３が設けられている。
【００１８】
図４は、本実施の形態におけるスクロール圧縮機内部の圧縮ガス及び分離された潤滑油の流れを示すものである。
【００１９】
図４において、圧縮ガス導入路１４の開口部から吐出された圧縮ガスＡは、本体ケース１の内周部とモータ部５の固定子６の外周部との間隙に配置された環状プレート５１の方向Ｂに向かって流れ、環状プレート５１に衝突して圧縮ガスに含まれる潤滑油が分離する。
【００２０】
分離した潤滑油は、本体ケース１下部に貯留されるとともに、潤滑油導入部５３を通じて貯油部９に流入して、貯油部９に貯留される潤滑油量が増加するため、貯油部９の潤滑油１０を圧縮機構部４に安定して供給することができるようになり、本体ケース１内の各摺動部及び圧縮機構部４における潤滑性を高めて、スクロール圧縮機の長寿命化と高回転時の信頼性を確保することができる。
【００２１】
（実施の形態２）
図５は、本発明の実施の形態２におけるスクロール圧縮機内部の潤滑油の流れを示す要部断面図である。なお、上記実施の形態１におけるスクロール圧縮機と同一部分には、同一符号を付して、その説明を省略する。
【００２２】
本実施の形態におけるスクロール圧縮機は、図５に示すように、圧縮ガス導入路１４の開口部から吐出された圧縮ガスＡが、環状プレート５１に対して斜めになるように圧縮ガス導入路１４の開口部を形成したもので、これにより、圧縮ガスＡは、本体ケース１の内周部とモータ部５の固定子６の外周部との間隙に配置された環状プレート５１の方向Ｂに向かって流れ、本体ケース１の内周部とモータ部５の固定子６の外周部との間隙を環状プレート５１に沿って流れる旋回流Ｃとなり、旋回流による遠心力で圧縮ガスに含まれる潤滑油１０が分離される。
【００２３】
分離した潤滑油１０は、本体ケース１下部に貯留されるとともに、潤滑油導入部５３を通じて貯油部９に流入して、貯油部９に貯留される潤滑油量が増加するため、貯油部９の潤滑油１０を、圧縮機構部４に安定して供給することができるようになり、本体ケース１内の各摺動部及び圧縮機構部４における潤滑性をさらに高めて、スクロール圧縮機の長寿命化と高回転時の信頼性を確保することができる。
【産業上の利用可能性】
【００２４】
以上のように、本発明にかかるスクロール圧縮機は、圧縮機内部における潤滑性を高め、長寿命と・高回転時の信頼性を確保することが可能となるので、空調及び冷凍装置以外のスクロール圧縮機等の用途にも適用できる。
【符号の説明】
【００２５】
１  本体ケース
４  圧縮機構部
５  モータ部
６  固定子
７  回転子
９  貯油部
１０  潤滑油
１４  圧縮ガス導入路
１５  固定ボルト
２２  旋回スクロール
２３  ポンプ
２４  駆動軸
２５  駆動軸給油経路
２８  ノズル
４８  密封端子
５１  環状プレート
５２  ネジ穴
５３  潤滑油導入部
【図１】
2013064342.tif 000003
【図２】
2013064342.tif 000004
【図３】
2013064342.tif 000005
【図４】
2013064342.tif 000006
【図５】
2013064342.tif 000007